(57)【要約】【課題】ヒートシンクが取り付けられた反射板の変形や歪みを防止することができる照射装置を提供する。【解決手段】直管形のランプ２１と、ランプ２１を覆い、当該ランプ２１に沿って延びる主反射板３２と、主反射板３２に取りつけられ、ランプ２１に沿って延びるヒートシンク３４と、を備え、ヒートシンク３４は、長手方向の両端部に、当該ヒートシンク３４を主反射板３２に取り付ける取付孔３８を備え、取付孔３８は、ヒートシンク３４の長手方向に沿った長孔に形成されている【選択図】図２
2017183044.tif 000002
【特許請求の範囲】
【請求項１】
直管形のランプと、前記ランプを覆い、当該ランプに沿って延びる反射板と、前記反射板に取りつけられ、前記ランプに沿って延びるヒートシンクと、を備え、
前記ヒートシンクは、長手方向の両端部に、当該ヒートシンクを前記反射板に取り付ける取付孔を備え、
前記取付孔は、前記ヒートシンクの長手方向に沿った長孔に形成されていることを特徴とする照射装置。
【請求項２】
前記ヒートシンクは、長手方向の中央部が、前記反射板に不動に固定されていることを特徴とする請求項１に記載の照射装置。
【請求項３】
前記ヒートシンクの両端部は、前記取付孔内を移動可能な付勢機構によって、前記反射板に付勢されていることを特徴とする請求項１または２に記載の照射装置。
【請求項４】
前記反射板を前記ランプと一体にフレームに固定する固定孔は、前記ランプの延在方向に沿った長孔に形成されていることを特徴とする請求項１乃至３のいずれかに記載の照射装置。
【発明の詳細な説明】
【技術分野】
【０００１】
本発明は、管状のランプを光源として備えた照射装置に関する。
【背景技術】
【０００２】
従来、管状のランプと、ランプを囲むように配置され、ランプの光を反射する反射板と、を備えた照射装置が知られている（例えば、特許文献１参照）。これらの照射装置では、ランプの点灯時に、ランプの表面温度が１０００℃近くの高温に達する場合があるため、冷却器を、ヒートシンクを設けて冷却風で冷却したり、水冷ジャケットを設けて冷却水で冷却したりしている。
【先行技術文献】
【特許文献】
【０００３】
【特許文献１】特開２０１２−１９２３２７号公報
【発明の概要】
【発明が解決しようとする課題】
【０００４】
ところで、ランプの光が反射板に直接照射されることとなり、反射板が熱を持って高温になるため、反射板には、反射板の熱を逃がすために、ヒートシンクを取り付ける構成とすることができる。しかしながら、反射板と、ヒートシンクとの熱膨張の違いによって、ヒートシンクの固定位置で反射板に変形や歪みが生じる場合があった。
本発明は、上述した事情に鑑みてなされたものであり、ヒートシンクが取り付けられた反射板の変形や歪みを防止することができる照射装置を提供することを目的とする。
【課題を解決するための手段】
【０００５】
上記目的を達成するために、本発明は、直管形のランプと、前記ランプを覆い、当該ランプに沿って延びる反射板と、前記反射板に取りつけられ、前記ランプに沿って延びるヒートシンクと、を備え、前記ヒートシンクは、長手方向の両端部に、当該ヒートシンクを前記反射板に取り付ける取付孔を備え、前記取付孔は、前記ヒートシンクの長手方向に沿った長孔に形成されていることを特徴とする。
【０００６】
また本発明は、上記照射装置において、前記ヒートシンクは、長手方向の中央部が、前記反射板に不動に固定されていることを特徴とする。
【０００７】
また本発明は、上記照射装置において、前記ヒートシンクの両端部は、前記取付孔内を移動可能な付勢機構によって、前記反射板に付勢されていることを特徴とする。
【０００８】
また本発明は、上記照射装置において、前記反射板を前記ランプと一体にフレームに固定する固定孔は、前記ランプの延在方向に沿った長孔に形成されていることを特徴とする。
【発明の効果】
【０００９】
本発明によれば、ヒートシンクは、長手方向の両端部に、当該ヒートシンクを反射板に取り付ける取付孔を備え、取付孔は、ヒートシンクの長手方向に沿った長孔に形成されているため、反射板に熱膨張が生じても、取付孔の範囲で膨張による変形が許容される。これにより、反射板とヒートシンクとの熱膨張の違いによって、反射板に変形や歪みが生じるのを防ぐことができる。
【図面の簡単な説明】
【００１０】
【図１】本発明の実施形態に係る照射装置の構成を示す側面図である。
【図２】照射装置の断面図である。
【図３】照射装置の部分透視図である。
【図４】照射器の斜視図である。
【図５】光源ユニットの側面図である。
【図６】光源ユニットの部分拡大断面図である。
【図７】ヒートシンクと反射鏡との取り付け部分の拡大断面図である。
【発明を実施するための形態】
【００１１】
以下、図面を参照して本発明の実施形態について説明する。
図１は、本実施形態に係る照射装置１の構成を示す側面図である。図２は、照射装置１を、ランプ２１の管軸に直交する断面で示したものであり、照射装置１内の構成部材の配置や空気の流れを示している。図３は、照射装置１において、照射器１０の内部を透視可能とした部分透視図であり、光源ユニット２０の構成を示す図である。
図１〜図３に示すように、照射装置１は、照射器１０と、補助反射ユニット４０と、を備え、補助反射ユニット４０の上部に照射器１０が重ねて連結されている。図２に示すように、照射器１０は、底面１２に開口１３を有する直方体形状の照射器ケース１１内に収められた光源ユニット２０を備えている。光源ユニット２０には、直管形のランプ２１が備えられ、ランプ２１からの光を、照射器ケース１１の底面１２の開口１３から照射するように構成されている。ランプ２１は、例えば、高出力の放電ランプである。
【００１２】
補助反射ユニット４０は、上面及び底面が開放した補助反射板収容ケース４１を備えている。補助反射板収容ケース４１の底面開口はランプ２１からの光を照射する照射開口４３であって、光を透過する石英ガラス等の部材で閉塞されている。また補助反射板収容ケース４１には、補助反射板収容ケース４１の内側面（正面、背面、左右側面の４面）のそれぞれに沿って補助反射板４２が設けられている。補助反射板４２は、照射開口４３とランプ２１との間に配置されて、被照射面での照度分布を均一に調整することができるように構成されている。これにより、照射開口４３からは、ランプ２１からの光の直射光、及び主反射板３２と補助反射板４２とで反射された反射光により、均一な照射光が照射される。
【００１３】
照射器１０と、補助反射ユニット４０との連結部分には、図２に示すように、フィルターユニット５０が取り付けられている。フィルターユニット５０には、照射器ケース１１の開口１３の下方領域に亘って設けられた波長選択フィルター５１が備えられている。このように、照射器１０の下方に波長選択フィルター５１を設けることで、開口１３を通るランプ２１からの光のうち、所定の波長の光だけが当該波長選択フィルター５１を透過して被照射面に照射されるように構成されている。また、フィルターユニット５０は、図１〜図３に示すように、側面５２の長手方向の略中央に設けられたフィルターユニットハンドル５３を持って、手動で照射器１０と、補助反射ユニット４０との連結部分から挿抜可能に構成されている。
【００１４】
また、照射装置１は、図２、図３に示すように、照射器１０内に空気を吸い込む吸気ファン２２と、照射器１０から空気を排出する排気ファン２３と、を備えている。吸気ファン２２は、照射器ケース１１の一方の側面２４Ａに、長手方向に沿って２つ並べて設けられている。吸気ファン２２には、所謂クロスフローファンを好適に用いることができ、照射器ケース１１の一方の側面２４Ａに設けられた矩形横長の吸気口２９から、長手方向の広い範囲に均一な風を送りこむことができる。
【００１５】
図４は、照射器１０の外観斜視図であり、排気ファン２３は、図４に示すように、照射器１０の天面２５に、長手方向に互いに所定の間隔をあけて２つ並べて設けられている。排気ファン２３には、所謂プロペラファンを好適に用いることができる。このように、照射器１０の内部には、吸気ファン２２により一方の側面２４Ａから外気が吸気され、同時に、排気ファン２３により天面２５から排気されることで、図２に示すように、空気の流れが形成される。このように照射器１０の内部には空気が循環し、この空気の流れにより、照射器１０の内部は冷却されるように構成されている。
【００１６】
また、図３に示すように、照射器ケース１１の底面１２には、光源ユニット２０の両側に沿って、複数の空気孔１４が形成されている構成であっても良い。吸気ファン２２及び排気ファン２３によって照射器１０の内部を循環する空気の一部は、空気孔１４を介して補助反射ユニット４０の内部に導入され、補助反射板収容ケース４１内の、補助反射板４２が冷却される。
【００１７】
また、図４に示すように、照射器１０の他方の側面２４Ｂには、後述する水冷パイプ３５Ａ，３５Ｂを循環する液冷媒の出入口となる給水口２６Ａと、排水口２６Ｂとが取り付けられている。給水口２６Ａと、排水口２６Ｂとは、照射器１０の長手方向の両端近傍に設けられている。また、給水口２６Ａと、排水口２６Ｂとの位置は逆になっていても良く、どちらか一方から供給した液冷媒が、他方から排出される構成であれば良い。また、照射器１０の他方の側面２４Ｂには、給水口２６Ａと、排水口２６Ｂの内側に一対の電源コネクター２７が設けられ、当該電源コネクター２７を介して、照射器１０内の光源ユニット２０に電源が供給されるように構成されている。
【００１８】
また、照射器１０の他方の側面２４Ｂには、長手方向の両端側に、ハンドル２８が設けられている。照射器１０は、補助反射ユニット４０から取り外し可能に構成され、ハンドル２８を持って、照射装置１の上部に引き出すことができるように構成されている。
【００１９】
次に、光源ユニット２０の構成を図２、図３、図５を用いて説明する。図５は、光源ユニット２０の側面図である。図２、図３、図５に示すように、光源ユニット２０は、ランプ２１、水冷機構３０、主反射板３２、及び、ヒートシンク３４を備えている。また、光源ユニット２０の両端には端板３３が配置され、各端板３３には、ランプ２１が着脱自在に取り付けられている。
【００２０】
主反射板３２は、断面略Ｕ字状に形成され、ランプ２１に沿って延在する反射板であって、光源ユニット２０の両端の端板３３間にランプ２１の両側から上側を包囲するように設けられている。なお、端板３３の左右の端部は、図６に示すように、ランプ２１の延在方向に沿う方向に折り曲げられて、主反射板３２が固定されるフレーム３３Ｂとして構成されていても良い。また、フレーム３３Ｂは、端板３３とは別体に形成され、フレーム３３Ｂに、主反射板３２と、端板３３とが取り付けられる構成であっても良い。ランプ２１の上側を覆うように設けられた主反射板３２は、ランプ２１の下側に配置されている上述の波長選択フィルター５１に向けて光を反射するように構成されている。
【００２１】
主反射板３２は、熱伝導性に優れた薄板状の部材を曲げて、所定の形状に形成されて、側面視で横長に構成されている。主反射板３２は、ランプ２１の延在方向の中央で前後に分割され、連結固定具５５で連結されている。連結固定具５５は、前後に分割された主反射板３２を連結すると共に、主反射板３２を照射器ケース１１に固定することができるように構成されている。なお、主反射板３２は、ランプ２１の延在方向の中央で前後に分割されていると共に、ランプ２１の上方で、左右に分割されている構成とすることもできる。
【００２２】
ところで、主反射板３２は、ランプ２１からの光の照射によって、温度が上昇する。主反射板３２には、主反射板３２を冷却するために、水冷機構３０と、ヒートシンク３４とが設けられ、水冷、及び、空冷によって冷却されるように構成されている。
水冷機構３０は、主反射板３２の熱を回収して照射器１０の外に排出する熱回収機構である。水冷機構３０は、図３に示すように、主反射板３２の上面（ランプ２１から見て背面側）に接触させて取り付けられ、光源ユニット２０の長さ方向に亘る一対の水冷パイプ３５Ａ，３５Ｂと、各水冷パイプ３５Ａ，３５Ｂの両端に接続された導入口３６Ａ及び排出口３６Ｂと、を備えている。水冷パイプ３５Ａ，３５Ｂには、一端に導入口３６Ａが接続され、他端に排出口３６Ｂが接続されており、一方の水冷パイプ３５Ａと、他方の水冷パイプ３５Ｂとは、互いの導入口３６Ａと、排出口３６Ｂとが隣り合うように互いに平行に並べられている。
【００２３】
図示は省略するが、一方の水冷パイプ３５Ａの排出口３６Ｂと、他方の水冷パイプ３５Ｂの導入口３６Ａとは、Ｕ字状の管で接続されて、一方の水冷パイプ３５Ａ内を流れた冷却媒体が、水冷パイプ３５Ａ，３５Ｂの外で折り返して、水冷パイプ３５Ｂ内を流れるように構成されている。つまり、一方の水冷パイプ３５Ａの一端に接続された導入口３６Ａから導入された冷却媒体が、当該一方の水冷パイプ３５Ａの一端から他端に流れ、一方の水冷パイプ３５Ａの他端に接続された排出口３６Ｂから一方の水冷パイプ３５Ａの外に排出される。そして、一方の水冷パイプ３５Ａの外に排出された冷却媒体は、他方の水冷パイプ３５Ｂの一端に接続された導入口３６Ａから他方の水冷パイプ３５Ｂ内に導かれる。他方の水冷パイプ３５Ｂ内に導かれた冷却媒体は、他方の水冷パイプ３５Ｂの一端から他端に流れ、他方の水冷パイプ３５Ｂの他端に接続された排出口３６Ｂから排出される。
【００２４】
このように、水冷機構３０は、主反射板３２の上面に接触させた水冷パイプ３５Ａ，３５Ｂ内に冷却媒体を循環させて、主反射板３２の熱を回収することで、主反射板３２を冷却することができるように構成されている。そして、主反射板３２が水冷機構３０によって冷却されるため、主反射板３２がランプ２１を包囲するように配置されても、当該主反射板３２の温度上昇を抑えることができる。なお、本実施形態では、水冷パイプ３５Ａ，３５Ｂを直列に接続する構成としたが、水冷パイプ３５Ａ，３５Ｂを並列に接続して、各水冷パイプ３５Ａ，３５Ｂに冷却媒体を流す構成であっても良い。
【００２５】
ヒートシンク３４は、図３、図５に示すように、主反射板３２から伝熱された熱を、照射器ケース１１内の雰囲気に放熱させることで、主反射板３２を冷却するように構成されている。ヒートシンク３４は、主反射板３２の側面に接触し、主反射板３２の長手方向に沿って延びている。ヒートシンク３４は、主反射板３２の側面に接触させて取り付けられる薄板の横長矩形形状の板状ベース体３６と、この板状ベース体３６に立設された多数のフィン３７とを備えている。ヒートシンク３４は、水冷機構３０を避けた位置で、主反射板３２の側面、つまり、ランプ２１の左右に、ランプ２１の延在方向に板状ベース体３６の長手方向を沿わせて設けられている。ヒートシンク３４のランプ２１の延在方向に沿った長さは、照射器ケース１１に設けられた吸気口２９に対応する長さに形成されている。吸気口２９とヒートシンク３４とは、略同じ長さである構成であっても良く、吸気口２９がヒートシンク３４よりも長く延びる構成であっても良い。ヒートシンク３４は、主反射板３２の左右側面にそれぞれ２つずつ取付られている。上述したように、主反射板３２が、ランプ２１の延在方向の中央で前後に分割されていると共に、ランプ２１の上方で左右に分割されている構成では、主反射板３２は４つの板状部品に分割されており、これらの板状部品のそれぞれにヒートシンク３４が取り付けられている構成であっても良い。
【００２６】
図２に示したように、吸気ファン２２と、排気ファン２３との作動によって、照射器ケース１１内には、吸気ファン２２がヒートシンク３４の延在方向に直交する方向から空気を吹き出す。ヒートシンク３４のフィン３７は、板状ベース体３６の短手方向に亘るフィン幅を有する薄板状に形成され、ヒートシンク３４の長手方向に沿って互いに所定の間隔で複数並べて設けられている。
【００２７】
照射器ケース１１内には、ヒートシンク３４のフィン３７間を通過し、底面１２に向かう空気と、排気ファン２３に向かう空気の流れが形成される。このように、照射器ケース１１内に空気を循環させることで、主反射板３２からヒートシンク３４に伝熱された熱の、ヒートシンク３４からの雰囲気への放熱を促進し、主反射板３２の冷却効率を向上することができる。
また、上述の通り、吸気ファン２２は、ランプ２１、主反射板３２及びヒートシンク３４の延在方向に対する直交方向から、当該ヒートシンク３４の全長に亘って送風するため、これらランプ２１、主反射板３２及びヒートシンク３４の全体を幅広く冷却することができる。
【００２８】
ヒートシンク３４のフィン３７は、照射器ケース１１内に吸気口２９から押し込まれる空気の流れ方向に沿って並べられている。本実施形態では、照射器ケース１１の側面に設けられた吸気口２９から空気が押し込まれるため、各フィン３７は、送風方向に沿って、ヒートシンク３４の短手方向に延びる構成である。しかしながら、これに限らず、照射器ケース１１の長手方向端面である前面、もしくは、裏面から照射器ケース１１内に空気を押し込む構成とすることもでき、この場合には、ヒートシンク３４は、長手方向に沿って延びる複数のフィンを備えている構成であっても良い。
【００２９】
このように、主反射板３２は、主反射板３２の上面に取り付けられた水冷機構３０と、主反射板３２の側面に取りつけられたヒートシンク３４と、吸気ファン２２、及び、排気ファン２３の作動によって照射器ケース１１内形成された空気の流れと、によって冷却される。ところで、このように、水冷、空冷の両方を用いて冷却を行った場合でも主反射板３２の温度が使用可能温度範囲を超えて、主反射板３２が熱膨張する場合がある。
【００３０】
このため、主反射板３２の両端に設けられた、主反射板３２をフレーム３３Ｂに固定するための固定孔３９は、主反射板３２の長手方向に延びる長孔に形成されている。固定孔３９は、主反射板３２の長手方向の両端辺を切り欠いて形成されている構成でも良い。主反射板３２は、フレーム３３Ｂにねじやリベット等の接合部品８で固定される。主反射板３２が熱膨張した際に、固定孔３９の範囲内で、フレーム３３Ｂに固定された状態の接合部品８が移動する。これにより、固定孔３９の範囲内で主反射板３２の膨張を許容することができ、フレーム３３Ｂへの固定部において、主反射板３２に熱膨張による変形や歪みが生じるのを防ぐことができる。
【００３１】
また、薄板状の主反射板３２に取りつけられたヒートシンク３４は、主反射板３２と比べて剛性が高いため、主反射板３２が熱膨張した際に、ヒートシンク３４の主反射板３２への固定部で、主反射板３２に変形や歪みが生じる場合があった。そこで、本実施形態では、ヒートシンク３４の長手方向の中央部６５を主反射板３２にねじ止め等の固定方法で不動に固定すると共に、長手方向の両端部を主反射板３２の熱膨張を許容する範囲で移動可能に付勢する構成としている。このように、ヒートシンク３４は、主反射板３２が熱膨張した際でも、主反射板３２に変形や歪みが生じることが無いように主反射板３２に取りつけられている。
【００３２】
次に、ヒートシンク３４の主反射板３２への取付構造について詳述する。
図６は、図５中Ｂ部の部分拡大図であり、ヒートシンク３４の主反射板３２への取付箇所を示す図である。図７は、図５のＣ−Ｃ断面図であり、ヒートシンク３４を主反射板３２へ付勢して取り付ける構造を示す図である。
【００３３】
図６に示すように、ヒートシンク３４には、板状ベース体３６の長手方向両端部に、ヒートシンク３４を主反射板３２に取り付けるための取付孔３８が設けられている。取付孔３８は、ヒートシンク３４を主反射板３２に取り付けるねじ６０の軸部６０Ｂが挿通可能に構成され（図７参照）、ヒートシンク３４の長手方向に沿った長孔に形成されている。取付孔３８は、ヒートシンク３４を主反射板３２に取り付ける際に、取付孔３８内の長手方向の略中央に、主反射板３２のねじ孔３が位置するように構成されている。
【００３４】
図７に示すように、ねじ６０は、主反射板３２の内側から、主反射板３２のねじ孔３、ヒートシンク３４の取付孔３８に順に挿通され、ねじ６０の頭部６０Ａが、ワッシャー４を介して主反射板３２の内面に当接するように設けられている。また、ねじ６０の軸部６０Ｂは、ヒートシンク３４の板状ベース体３６を貫通して、主反射板３２の外側に突出するように構成されている。板状ベース体３６を貫通したねじ６０の軸部６０Ｂには、ばね６２（弾性体）が周設される。ばね６２には、圧縮ばね、例えばコイルスプリング、を好適に用いることができる。ばね６２の両端には、軸部６０Ｂを挿通させたワッシャー５，５が設けられる。ばね６２は、ねじ６０の軸部６０Ｂの先端部からねじ込まれたナット６と、板状ベース体３６との間で挟持され、その弾性力によって、ヒートシンク３４を、主反射板３２に付勢するように構成されている。このように、ヒートシンク３４の両端部は、ねじ６０、ばね６２、ワッシャー４，５、及びナット６から成る付勢機構７０によって、主反射板３２に付勢される。
【００３５】
このように、ヒートシンク３４は、主反射板３２に取り付けるための取付孔３８が長手方向に沿った長孔に形成されている。また、ヒートシンク３４は、当該ヒートシンク３４を主反射板３２に取り付けるためのねじ６０の軸部６０Ｂに周設したばね６２の弾性力によって、主反射板３２に対して付勢される構成とした。これらの構成によれば、主反射板３２が熱膨張した際には、ばね６２の伸縮により、ヒートシンク３４の取付孔３８の範囲内で、ねじ６０及び当該ねじ６０がねじ込まれた主反射板３２のねじ孔３が移動することができる。
【００３６】
これにより、主反射板３２と、ヒートシンク３４との熱膨張の違いによる膨張差を許容することができ、主反射板３２に、ヒートシンク３４との固定部で膨張差による歪みが生じるのを防止することができる。また、ヒートシンク３４の両端部は、付勢機構７０によって、主反射板３２に付勢されるため、ヒートシンク３４と主反射板３２とを密着させることができ、主反射板３２の熱をヒートシンク３４に効率よく伝熱させて放熱することができる。
【００３７】
以上説明したように、本実施形態によれば、直管形のランプ２１と、ランプ２１を覆い、当該ランプ２１に沿って延びる主反射板３２と、主反射板３２に取りつけられ、ランプ２１に沿って延びるヒートシンク３４と、を備え、ヒートシンク３４は、長手方向の両端部に、当該ヒートシンク３４を主反射板３２に取り付ける取付孔３８を備え、取付孔３８は、ヒートシンク３４の長手方向に沿った長孔に形成されている構成とした。
この構成により、長孔の取付孔３８の範囲内で、主反射板３２の熱膨張を許容することができる。これにより、主反射板３２が熱膨張した際に、主反射板３２にヒートシンク３４との固定部で膨張差による歪みが生じるのを防止することができ、ヒートシンク３４が取り付けられた主反射板３２の変形や歪みを防止することができる。
【００３８】
また本実施形態によれば、ヒートシンク３４は、長手方向の中央部６５が、主反射板３２に不動に固定されている構成とした。この構成によれば、ヒートシンク３４の、長手方向の両端側を主反射板３２に不動に固定しなくても、中央部６５を主反射板３２に不動に固定することで、ヒートシンク３４と、主反射板３２との密着性を向上することができる。これにより、主反射板３２の熱をヒートシンク３４に効率よく伝熱させて放熱することができる。
【００３９】
また本実施形態によれば、ヒートシンク３４の両端部は、取付孔３８内を移動可能な付勢機構７０によって、主反射板３２に付勢されている構成とした。
これにより、取付孔３８の範囲内で、主反射板３２の熱膨張を許容することができるとともに、ヒートシンク３４の両端部を付勢機構７０によって、主反射板３２に付勢するため、ヒートシンク３４と、主反射板３２との密着性を向上することができる。
【００４０】
また本実施形態によれば、主反射板３２をランプ２１と一体にフレーム３３Ｂに固定する固定孔３９は、ランプ２１の延在方向に沿った長孔に形成されている。
これにより、主反射板３２が熱膨張した際に、固定孔３９の範囲内で主反射板３２の膨張を許容することができ、主反射板３２にフレーム３３Ｂへの固定部分で歪みが生じるのを防止することができる。
【００４１】
なお、上述した実施形態は、あくまでも本発明の一態様を示すものであって、本発明の趣旨を逸脱しない範囲で任意に変形、及び応用が可能である。
【００４２】
例えば上述した実施形態では、主反射板３２にＵ字状の水冷パイプ３５を接触させて熱を回収する構成を例示したが、これに限らず、主反射板３２の裏面を蛇行する形状、或いは主反射板３２の左右両端間を数往復する形状に成された水冷パイプ、又は、複数本の水冷パイプを用いて、主反射板３２の水冷による冷却性を高めるようにしても良い。
また、水冷パイプ３５を用いた水冷に代えて、例えばヒートパイプ等の任意の熱回収機構を用いても良いことは勿論である。
【符号の説明】
【００４３】
１  照射装置
１０  照射器
２０  光源ユニット
２１  ランプ
３０  水冷機構
３２  主反射板（反射板）
３４  ヒートシンク
３８  取付孔
３９  固定孔
６０  ねじ
６２  ばね（弾性体）
【図１】
2017183044.tif 000003
【図２】
2017183044.tif 000004
【図３】
2017183044.tif 000005
【図４】
2017183044.tif 000006
【図５】
2017183044.tif 000007
【図６】
2017183044.tif 000008
【図７】
2017183044.tif 000009